(57)【特許請求の範囲】
【請求項１】
表示装置にて表示した画像データに基づく画像を印刷装置にて印刷する方法において、
前記表示装置は、
前記画像データに基づく画像を表示した時点で前記画像データを前記印刷装置に送信し、
表示した画像が修正された場合、表示した画像に対する修正部分をオブジェクトとして抽出し、抽出したオブジェクトを前記印刷装置へ送信し、
表示した画像に対する印刷指示を受付け、
受付けた印刷指示を前記印刷装置へ送信し、
前記印刷装置は、
前記表示装置から送信された画像データを受信した場合、受信した画像データに基づく印刷データを生成し、
前記表示装置から送信されたオブジェクトを受信した場合、受信したオブジェクトに基づいて印刷データを更新し、
前記表示装置から送信された印刷指示を受信した場合、生成した印刷データ又は更新した印刷データに基づいて印刷を実行する
ことを特徴とする印刷方法。
【請求項２】
取得した画像データに基づいて画像を表示する表示装置と、該表示装置に表示された画像を印刷する印刷装置とを備える印刷システムにおいて、
前記表示装置は、
取得した画像データに基づく画像を表示した時点で前記画像データを前記印刷装置に送信する手段と、
表示した画像が修正された場合、表示した画像に対する修正部分をオブジェクトとして抽出し、抽出したオブジェクトを前記印刷装置へ送信する手段と、
表示した画像に対する印刷指示を受付ける手段と、
受付けた印刷指示を前記印刷装置へ送信する手段と
を備え、
前記印刷装置は、
前記表示装置から送信された画像データ及びオブジェクトを受信する受信手段と、
該受信手段にて画像データを受信した場合、受信した画像データに基づく印刷データを生成する生成手段と、
前記受信手段にてオブジェクトを受信した場合、受信したオブジェクトに基づいて印刷データを更新する更新手段と、
前記表示装置から送信された印刷指示を受信する手段と、
該手段にて印刷指示を受信した場合、前記生成手段が生成した印刷データ又は前記更新手段が更新した印刷データに基づいて印刷する手段と
を備えることを特徴とする印刷システム。
【請求項３】
前記表示装置は、表示する画像の修正を外部から受付ける手段を備えることを特徴とする請求項２に記載の印刷システム。
【請求項４】
前記表示装置は、上書き用の画像データを受付ける受付手段と、該受付手段により受付けた画像データに基づく上書き用の画像を、表示した画像に対して上書き表示する手段と、該手段により上書き表示した時点で前記上書き用の画像データを前記印刷装置に送信する手段とを備え、
前記印刷装置は、前記表示装置から送信された前記上書き用の画像データを受信する手段と、受信した上書き用の画像データを既に受信した画像データに合成する手段とを備え、該手段により合成して得られた画像データに基づいて印刷を行うようにしてあることを特徴とする請求項２に記載の印刷システム。
【請求項５】
前記受付手段はタッチパネルであることを特徴とする請求項４に記載の印刷システム。
【請求項６】
取得した画像データに基づいて画像を表示する表示装置において、
印刷装置を接続する接続手段と、
取得した画像データに基づく画像を表示した時点で前記接続手段に接続された印刷装置に前記画像データを送信する手段と、
表示した画像が修正された場合、表示した画像に対する修正部分をオブジェクトとして抽出し、抽出したオブジェクトを前記印刷装置へ送信する手段と、
表示した画像に対する印刷指示を受付ける手段と、
受付けた印刷指示を前記印刷装置へ送信する手段と
を備えることを特徴とする表示装置。
【請求項７】
上書き用の画像データを受付ける受付手段と、該受付手段により受付けた画像データに基づく上書き用の画像を、表示した画像に対して上書き表示する手段と、該手段により上書き表示した時点で前記上書き用の画像データを前記印刷装置に送信する手段とを備えることを特徴とする請求項６に記載の表示装置。
【請求項８】
前記受付手段はタッチパネルであることを特徴とする請求項７に記載の表示装置。
【発明の詳細な説明】
【技術分野】
【０００１】
本発明は、表示した画像を即座に印刷することができる印刷方法、印刷システム及び表示装置に関する。
【背景技術】
【０００２】
表示装置に会議用のデータを表示すると共に、表示された画像をタッチペンなどの入力デバイスにより修正された場合、修正された画像データを印刷装置に転送する技術が開示されている（例えば、特許文献１を参照）。
【特許文献１】特開平６−３７０２７号公報
【発明の開示】
【発明が解決しようとする課題】
【０００３】
しかしながら、上記の従来技術では、表示装置に表示された画像データを入力デバイスを用いて修正が可能であり、表示された画像データを印刷装置に転送することによって印刷が行える点が示されているが、表示装置から画像データを転送するタイミングは利用者によって印刷開始が指示された時点であり、画像データの容量が大きい場合には、画像データの転送や画像処理に時間を要するため、印刷が完了するまでの待ち時間が長いという問題点を有していた。
【０００４】
本発明は斯かる事情に鑑みてなされたものであり、表示装置にて画像データに基づく画像を表示した時点で印刷装置に画像データを送信する構成とすることにより、画像データの容量が大きい場合であっても利用者が要求するタイミングで即座に印刷を行うことができる印刷方法、印刷システム及び表示装置を提供することを目的とする。
【課題を解決するための手段】
【０００５】
本発明に係る印刷方法は、表示装置にて表示した画像データに基づく画像を印刷装置にて印刷する方法において、前記表示装置は、前記画像データに基づく画像を表示した時点で前記画像データを前記印刷装置に送信し、表示した画像が修正された場合、表示した画像に対する修正部分をオブジェクトとして抽出し、抽出したオブジェクトを前記印刷装置へ送信し、表示した画像に対する印刷指示を受付け、受付けた印刷指示を前記印刷装置へ送信し、前記印刷装置は、前記表示装置から送信された画像データを受信した場合、受信した画像データに基づく印刷データを生成し、前記表示装置から送信されたオブジェクトを受信した場合、受信したオブジェクトに基づいて印刷データを更新し、前記表示装置から送信された印刷指示を受信した場合、生成した印刷データ又は更新した印刷データに基づいて印刷を実行することを特徴とする。
【０００６】
本発明に係る印刷システムは、取得した画像データに基づいて画像を表示する表示装置と、該表示装置に表示された画像を印刷する印刷装置とを備える印刷システムにおいて、前記表示装置は、取得した画像データに基づく画像を表示した時点で前記画像データを前記印刷装置に送信する手段と、表示した画像が修正された場合、表示した画像に対する修正部分をオブジェクトとして抽出し、抽出したオブジェクトを前記印刷装置へ送信する手段と、表示した画像に対する印刷指示を受付ける手段と、受付けた印刷指示を前記印刷装置へ送信する手段とを備え、前記印刷装置は、前記表示装置から送信された画像データ及びオブジェクトを受信する受信手段と、該受信手段にて画像データを受信した場合、受信した画像データに基づく印刷データを生成する生成手段と、前記受信手段にてオブジェクトを受信した場合、受信したオブジェクトに基づいて印刷データを更新する更新手段と、前記表示装置から送信された印刷指示を受信する手段と、該手段にて印刷指示を受信した場合、前記生成手段が生成した印刷データ又は前記更新手段が更新した印刷データに基づいて印刷する手段とを備えることを特徴とする。
【０００９】
本発明に係る印刷システムは、前記表示装置は、表示する画像の修正を外部から受付ける手段を備えることを特徴とする。
【００１１】
本発明に係る印刷システムは、前記表示装置は、上書き用の画像データを受付ける受付手段と、該受付手段により受付けた画像データに基づく上書き用の画像を、表示した画像に対して上書き表示する手段と、該手段により上書き表示した時点で前記上書き用の画像データを前記印刷装置に送信する手段とを備え、前記印刷装置は、前記表示装置から送信された前記上書き用の画像データを受信する手段と、受信した上書き用の画像データを既に受信した画像データに合成する手段とを備え、該手段により合成して得られた画像データに基づいて印刷を行うようにしてあることを特徴とする。
【００１２】
本発明に係る印刷システムは、前記受付手段はタッチパネルであることを特徴とする。
【００１３】
本発明に係る表示装置は、取得した画像データに基づいて画像を表示する表示装置において、印刷装置を接続する接続手段と、取得した画像データに基づく画像を表示した時点で前記接続手段に接続された印刷装置に前記画像データを送信する手段と、表示した画像が修正された場合、表示した画像に対する修正部分をオブジェクトとして抽出し、抽出したオブジェクトを前記印刷装置へ送信する手段と、表示した画像に対する印刷指示を受付ける手段と、受付けた印刷指示を前記印刷装置へ送信する手段とを備えることを特徴とする。
【００１５】
本発明に係る表示装置は、上書き用の画像データを受付ける受付手段と、該受付手段により受付けた画像データに基づく上書き用の画像を、表示した画像に対して上書き表示する手段と、該手段により上書き表示した時点で前記上書き用の画像データを前記印刷装置に送信する手段とを備えることを特徴とする。
【００１６】
本発明に係る表示装置は、前記受付手段はタッチパネルであることを特徴とする。
【００１７】
本発明にあっては、画像データに基づく画像を表示装置にて表示した場合、印刷の要否とは無関係に、画像が表示された時点で画像データが印刷装置に送信される。
【００１８】
本発明にあっては、表示装置にて受付けた印刷指示が印刷装置に送信されて印刷が開始されるため、印刷装置では画像データを受信してから印刷指示を受信するまでにタイムラグが生じる。印刷装置は、この間に画像データのラスタライズなどを行って印刷データを準備しておくことができ、印刷要求を受付けたときに即座に印刷処理を実行することができる。
【００１９】
本発明にあっては、表示した画像が修正された時点で画像データを印刷装置に送信するため、通信経路に対して負荷を掛けることがなくなる。
【００２０】
本発明にあっては、表示した画像に対する修正部分がオブジェクトとして抽出され、抽出されたオブジェクトが印刷装置に送信されるため、送信するデータ量が削減される。
【００２１】
本発明にあっては、上書き用の画像データを受付けて上書き表示を行った場合、上書き用の画像データを印刷装置に送信するため、送信するデータ量が削減される。
【００２２】
本発明にあっては、上書き用の画像データを受付けるための受付手段としてタッチパネルが採用されるため、手書き入力により画像が上書きされた場合であっても手書き入力の部分のみが印刷装置に送信される。
【発明の効果】
【００２３】
本発明による場合は、画像データに基づく画像を表示装置にて表示した場合、印刷の要否とは無関係に、画像が表示された時点で画像データが印刷装置に送信される。特に、インフォメーションディスプレイに表示される画像データは高解像度であり、画像容量が大きいことから印刷を行う場合に画像データの転送、ラスタライズなどのデータ処理に時間を要する。本発明では上記の構成を備えるため、印刷の要否に関わらず画像が表示された時点で画像データを印刷装置に送信することができ、印刷開始指示を受けてから画像データを送信する場合と比べて印刷に要する時間を短縮することができる。
【００２４】
本発明による場合は、表示装置にて受付けた印刷指示が印刷装置に送信されて印刷が開始されるため、印刷装置では画像データを受信してから印刷指示を受信するまでにタイムラグが生じる。印刷装置は、この間に画像データのラスタライズなどを行って印刷データを準備しておくことができ、印刷要求を受付けたときに即座に印刷処理を実行することができる。
【００２５】
本発明による場合は、表示した画像が修正された時点で画像データを印刷装置に送信するため、通信経路に対する負荷を軽減することができる。
【００２６】
本発明による場合は、表示した画像に対する修正部分がオブジェクトとして抽出され、抽出されたオブジェクトが印刷装置に送信されるため、送信するデータ量を削減することができると共に、印刷装置に最新のデータを蓄積させておくことができる。
【００２７】
本発明による場合は、上書き用の画像データを受付けて上書き表示を行った場合、上書き用の画像データを印刷装置に送信するため、送信するデータ量を削減することができると共に、印刷装置に最新のデータを蓄積させておくことができる。
【００２８】
本発明による場合は、上書き用の画像データを受付けるための受付手段としてタッチパネルが採用されるため、手書き入力により画像が上書きされた場合であっても手書き入力の部分のみを印刷装置に送信することができ、通信経路に対する負荷を軽減することができる。
【発明を実施するための最良の形態】
【００２９】
以下、本発明をその実施の形態を示す図面に基づいて具体的に説明する。
図１は本実施の形態に係る印刷システムの構成例を説明するための模式図である。図中１０は、マルチビュー表示が可能な液晶ディスプレイとタッチパネルとを備えた表示装置である。この表示装置１０は、インフォメーションディスプレイなどと呼ばれる大型表示画面を備えた表示装置に適用可能である。
【００３０】
本実施の形態では、表示装置１０は、印刷機能、複写機能、ファクシミリ通信機能などを備える複合機３０と、ファクシミリ装置５０，５１及び情報処理装置６０との間でネットワークＮ１，Ｎ２，Ｎ３等を介して接続されている。また、表示装置１０と複合機３０との接続や、表示装置１０と情報処理装置６０との接続はネットワークを介さずに直接的に接続されたものであってもよい。
【００３１】
表示装置１０は、情報処理装置６０及び複合機３０から送信される画像データを表示したり、ディスプレイに表示した画像データ及び後述する記憶部に保持された画像データを複合機３０及び情報処理装置６０に送信することができるように構成されている。
【００３２】
図２は表示装置１０の内部構成を示すブロック図である。本実施の形態に係る表示装置１０は、入力された画像データに基づく画像を表示するための液晶ディスプレイ１１と、この液晶ディスプレイ１１の前面側に設けられたタッチパネル１２とを備える。タッチパネル１２は、液晶ディスプレイ１１上の表示を阻害しない透明素材で構成された例えば静電容量結合方式のものである。タッチ位置検出回路１４は、タッチパネル１２に流れる電流からタッチ座標を算出する。
【００３３】
制御ＣＰＵ１３は、タッチ位置検出回路１４により算出されたタッチ座標に基づき、液晶ディスプレイ１１上に表示させる画像データを操作する画像操作機能と、液晶ディスプレイ１１上に右側の視聴者用の画像データと左側の視聴者用の画像データとを作成する画像作成機能を有していて、これら機能により操作された画像データ又は作成された画像データを、液晶ディスプレイ１１に表示させる制御を行なう。
【００３４】
液晶表示コントローラ１５は、制御ＣＰＵ１３の制御により、液晶ディスプレイ１１に必要な表示タイミング信号を生成する。また、第１メモリ１６ａ、第２メモリ１６ｂは、アイコンの形状、色、表示位置、アイコン内に表示される文字等、当該アイコンを表示するための表示情報や動作情報を含むアイコンデータを複数種格納している。
【００３５】
また、第１画像ソース源１７ａは右側の視聴者用の画像データを保持するための記憶部を有し、第２画像ソース源１７ｂは左側の視聴者用の画像データを保持するための記憶部を有する。
【００３６】
通信ＩＦ１８は、ネットワークＮ１へ接続するためのインタフェースであり、液晶ディスプレイ１１に画像を表示させるための画像データをネットワークＮ１を介して受信すると共に、表示した画像データを複合機３０へ送信する機能を有する。
【００３７】
以下、液晶ディスプレイ１１に画像を表示する際の表示装置１０の動作について説明する。制御ＣＰＵ１３は、まず、第１メモリ１６ａ、第２メモリ１６ｂから受付けたアイコンデータを、第２画像ソース源１７ｂから受付けた画像データに重畳する。そして、制御ＣＰＵ１３は、重畳された右側の視聴者用の画像データと左側の視聴者用の画像データとを液晶表示コントローラ１５に送信する。
【００３８】
液晶表示コントローラ１５は、制御ＣＰＵ１３から送信された右側の視聴者用の画像データと左側の視聴者用の画像データとをデュアルビューディスプレイ技術の画素配分に適した画素配分となるように処理し、１つの画像データとして液晶ディスプレイ１１に送信する。このとき液晶表示コントローラ１５は、液晶ディスプレイ１１の表示動作をコントロールするために必要な制御信号も合わせて送信する。具体的には、液晶表示コントローラ１５は、画像データに基づきゲートドライバ及びソースドライバを駆動させる。ゲートドライバは、液晶ディスプレイ１１の複数の画素を駆動するための操作電圧を印加し、ソースドライバは、液晶ディスプレイ１１の複数の画素を駆動するための書込電圧を印加する。
【００３９】
液晶ディスプレイ１１は、図示しないバックライトからの光により背面から照明される。そして２つの基板の間に注入されている異方性誘電率を有する液晶層に印加される電界の強さに応じて、基板を透過する照明光の量を調整して画像を表示させる。また液晶ディスプレイ１１の前面には前述の視差バリア（パララックスバリア）が重ね合わされている。視差バリアは、不透明領域によって隔てられた垂直な透光性スリットを複数有するスクリーンである。
【００４０】
ここで液晶ディスプレイ１１にデュアルビュー表示を行なわせる場合には、例えば、液晶ディスプレイ１１の隣り合う画素を、それぞれ右側の視聴者用の画像データと左側の視聴者用の画像データとに応じて駆動させればよい。言い換えれば、隣り合う画素は互いに異なる方向用の画像データに応じて駆動されることになる。なお上述のように、画素は１個置きに互いに異なる画像データに応じて駆動されるようにしてもよいし、２個置きあるいは３個置き等のように複数個置きに駆動させるようにしてもよいことはもちろんである。この場合、いずれにしても視差バリアの透光性スリットの幅に応じて画像データの表示画素を設定すればよい。
【００４１】
すなわち、液晶ディスプレイ１１の画素は、液晶表示コントローラ１５からの制御信号に基づき駆動されることになる。これにより視差バリアの複数の透光性スリットを通して見える光は、空間上の規定された領域からしか見えないことになる。例えば右側の視聴者は右側の視聴者用の画像データに応じた画像を視認することができ、左側の視聴者は左側の視聴者用の画像データに応じた画像を視認することができる。
【００４２】
タッチパネル１２は透明電極を有しており、指やタッチペン等の導電体を近づけると静電容量結合が生じて電流が流れる。タッチ位置検出回路１４は、この電流を測定して導電体が近づいた座標を算出し、制御ＣＰＵ１３へ送信することで視聴者がタッチした位置情報を認識することができる。
【００４３】
本実施の形態に係る表示装置１０は、特定の動作を実行するためのアイコンを表示するアイコン表示手段と、そのアイコン表示手段により表示されたアイコン上のタッチパネルに対する操作を検知する操作検知手段と、操作検知手段による検知結果に従って、アイコンに応じて定められた特定の動作を実行する制御を行う制御手段とを備える。
【００４４】
上記アイコン表示手段は、第１及び第２メモリ１６ａ，１６ｂから受付けたアイコンデータを画像データに重畳する制御ＣＰＵ１３と、制御ＣＰＵ１３から送信された画像データを液晶ディスプレイ１１に表示させる液晶表示コントローラ１５とが該当する。また上記操作検知手段は、タッチパネル１２に流れる電流からタッチ座標を算出するタッチ位置検出回路１４が該当する。さらに制御手段は、タッチ位置検出回路１４により算出されたタッチ座標に基づき、液晶ディスプレイ１１上に表示する画像データを操作する画像操作機能を備えた制御ＣＰＵ１３が該当する。
【００４５】
図３は複合機３０の内部構成を示すブロック図である。複合機３０は、装置の各要素を制御する制御部３１、記録紙等に記録された原稿画像を読み取って、原稿画像の画像データを出力する画像読取部３２、画像データの印刷を行う画像形成部３３、画像データを保存する画像メモリ３４、装置の制御を行うための制御プログラムを記録する制御プログラム記憶部３５、視聴者等のユーザの操作入力を受け付ける操作部３６、他のファクシミリ装置と通信するためのモデム部３７、ネットワークを介して外部機器との通信を行う通信部３８、装置全体の制御情報や設定情報等を記憶している管理部３９、及びＲＡＭなどによる記憶部４０を備える。
【００４６】
通信部３８は、例えばネットワークＮ１を介して表示装置１０に接続可能である。また他のネットワークＮ２を介して更に他のＰＣやファクシミリ装置等と通信することができる。複合機３０の画像読取部３２で読み取られた画像データや、ＰＣ６０やファクシミリ装置５０，５１などの外部機器から複合機３０に送信された画像データなどは、複合機３０の通信部３８により表示装置１０に送信することができる。
【００４７】
図４〜図６は表示装置１０による画像の表示例を示す模式図である。図４に示す表示画面１００には、上述したアイコン表示手段により３つのアイコン１０１〜１０３が表示されており、それぞれが特定の操作指示を受付けるための受付手段として機能するように構成されている。すなわち、アイコン１０１は、表示画面１００に表示された画像に基づいてメールを作成するための指示を受ける受付手段として機能し、アイコン１０２は、表示画面１００に表示された画像を削除するための指示を受付ける受付手段として機能し、アイコン１０３は、表示画面１００に表示された画像を複合機３０にて印刷するための指示を受付ける受付手段として機能する。
【００４８】
図５は情報処理装置６０から送信された画像データに基づいて画像（ウインドウ１１０）を表示した例を示している。このウインドウ１１０は、例えば情報処理装置６０に予めインストールされた表計算ソフトにより作成されたものであり、表計算に使用する数字、文字、記号の入力を受付けるための複数のセル、表示域を変更するスライダ、特定の操作を受付けるアイコン等によって構成される。表示装置１０は、このような画像（図５の場合、ウインドウ１１０）を表示画面１００に表示した時点で表示用の画像データを複合機３０へ送信する。複合機３０では、表示装置１０から送信された画像データを受信した場合、即座に印刷可能なように画像処理が開始され、画像処理によって生成された印刷用のデータ（以下、印刷データという）を記憶部４０内に保持する。
【００４９】
ウインドウ１１０内の１つのセルに文字、数字、記号などが入力された場合、１つのセルの入力が完了する都度、１つのセルがオブジェクトとして抽出され、そのオブジェクトが複合機３０に送信される。複合機３０は表示装置１０から送信されたオブジェクトを受信した場合、そのオブジェクトを記憶部４０内に保持された印刷データに重畳（合成）する処理を行う。
【００５０】
このように、表示画像に対して修正が加えられた場合、修正部分を１つのオブジェクトとして複合機３０に送信し、複合機３０にて１つの印刷データに合成する構成であるため、表示装置１０に表示した最新の画像が複合機３０内に印刷データとして存在するため、視聴者が表示画像の印刷を望む場合に即座に印刷を行うことが可能となり、利用者の利便性を向上させることが可能となる。また、表示装置１０から複合機３０へは１つのオブジェクト単位で画像データが送信される構成であるため、ネットワークＮ１を介して画像データを送信する場合であっても負荷を掛けることがない。
【００５１】
図６はタッチパネル１２による手書き入力の例を示している。タッチペンなどの入力手段により表示画面１００上をなぞることによって、画面上の座標がタッチ位置検出回路１４によって認識され、線画像１２０として表示画面１００に表示される。この場合であっても、タッチパネル１２を用いた線画像１２０の入力開始後、所定時間だけ入力されない時間を検出することによって、線画像１２０を１つのオブジェクトとして認識することが可能となる。上述と同様に、１つのオブジェクトを検出した時点でオブジェクトを複合機３０へ送信し、複合機３０にてそのオブジェクトを重畳した印刷データを生成することで、表示装置１０に表示した最新の画像が複合機３０内に印刷データとして存在するため、視聴者が表示画像の印刷を望む場合に即座に印刷を行うことが可能となり、利用者の利便性を向上させることが可能となる。
【００５２】
以下、本実施の形態に係る印刷システムの動作について説明する。図７は表示装置１０及び複合機３０が実行する処理の手順を説明するフローチャートである。表示装置１０は、例えば、情報処理装置６０から送信される表示用の画像データを通信ＩＦ１８を通じて取得した場合（ステップＳ１１）、液晶表示コントローラ１５を制御して、取得した画像データに基づく画像を液晶ディスプレイ１１に表示する（ステップＳ１２）。そして、表示装置１０は表示した画像データを複合機３０に送信する（ステップＳ１３）。送信するタイミングとしては、画像の表示と同時的又は直後であることが望ましく、少なくとも視聴者が表示した画像を見て印刷開始指示を与えるより前のタイミングであればよい。
【００５３】
複合機３０は、表示装置１０から送信された画像データを受信した場合（ステップＳ１４）、即座に印刷が可能なように受信した画像データから印刷データを生成し（ステップＳ１５）、複合機３０内の記憶部４０に一時的に保持する。
【００５４】
表示装置１０は、表示した画像データを複合機３０へ送信した後、表示した画像に対する追加又は修正があるか否かを判断する（ステップＳ１６）。例えば、表示した画像の一部の画素値が変更されたか否か、又はタッチパネル１２を通じて上書き用の画像データが入力された否かを判断することによって、追加又は修正があるか否かを判断することができる。
【００５５】
表示した画像に対する追加又は修正があると判断した場合（Ｓ１６：ＹＥＳ）、追加又は修正された部分をオブジェクトとして抽出する（ステップＳ１７）。そして、表示装置１０は抽出したオブジェクトを複合機３０へ送信する（ステップＳ１８）。
【００５６】
複合機３０は、表示装置１０から送信されたオブジェクトを受信した場合（ステップＳ１９）、そのオブジェクトを記憶部４０内に保持された印刷データに重畳（合成）し、印刷データを更新する処理（ステップＳ２０）を行う。
【００５７】
表示装置１０は、ステップＳ１６で表示画像に対する追加及び修正がないと判断した場合（Ｓ１６：ＮＯ）、又はステップＳ１８で抽出したオブジェクトを複合機３０へ送信した場合（Ｓ１８）、印刷開始指示があるか否かを判断する（ステップＳ２１）。本実施の形態では、タッチパネル１２（より具体的には表示画面１００に配置されるアイコン１０３）を通じて視聴者の印刷開始指示を受付けるように構成している。印刷開始指示がないと判断した場合（Ｓ２１：ＮＯ）、本フローチャートによる処理を終了し、印刷開始指示があると判断した場合（Ｓ２１：ＹＥＳ）、印刷要求を複合機３０へ送信する（ステップＳ２２）。
【００５８】
複合機３０は、表示装置１０から送信された印刷要求を受信した場合（ステップＳ２３）、記憶部４０に保持してある印刷データに基づいて印刷処理を実行する（ステップＳ２４）。本実施の形態では、印刷要求を受信した時点で既に印刷データが記憶部４０内に存在するため、視聴者が表示画像の印刷を望む場合に即座に印刷を行うことが可能となる。
【図面の簡単な説明】
【００５９】
【図１】本実施の形態に係る印刷システムの構成例を説明するための模式図である。
【図２】表示装置の内部構成を示すブロック図である。
【図３】複合機の内部構成を示すブロック図である。
【図４】表示装置による画像の表示例を示す模式図である。
【図５】表示装置による画像の表示例を示す模式図である。
【図６】表示装置による画像の表示例を示す模式図である。
【図７】表示装置及び複合機が実行する処理の手順を説明するフローチャートである。
【符号の説明】
【００６０】
１０  表示装置
１１  液晶ディスプレイ
１２  タッチパネル
１３  制御ＣＰＵ
１４  タッチ位置検出回路
１５  液晶表示コントローラ
１６ａ  第１メモリ
１６ｂ  第２メモリ
１７ａ  第１画像ソース源
１７ｂ  第２画像ソース源
１８  通信ＩＦ  
３０  複合機
【図１】
0004859770.tif 000002
【図２】
0004859770.tif 000003
【図３】
0004859770.tif 000004
【図４】
0004859770.tif 000005
【図５】
0004859770.tif 000006
【図６】
0004859770.tif 000007
【図７】
0004859770.tif 000008